(57)【要約】【課題】  レンズ装着部に非装着の撮影レンズの焦点距離に応じた画角を容易に把握することができる撮像装置を提供する。【解決手段】  撮影レンズを着脱可能なレンズ装着部を有する撮像装置２であって、前記レンズ装着部に装着されている第１撮影レンズ２８を介した被写体からの光を撮像する撮像素子８と、前記第１撮影レンズを第１画角に設定した状態で、前記撮像素子からの撮像信号に基づくスルー画像を表示する表示部１４と、前記レンズ装着部に非装着の第２撮影レンズに関する情報に基づいて、前記第２撮影レンズの焦点距離に応じた第２画角に関する情報を、前記表示部に前記第１画角で表示されている前記スルー画像上に重畳表示せしめる表示制御部６とを備える。【選択図】  図１
2012168299.tif 000002
【特許請求の範囲】
【請求項１】
撮影レンズを着脱可能なレンズ装着部を有する撮像装置であって、
前記レンズ装着部に装着されている第１撮影レンズを介した被写体からの光を撮像する撮像素子と、
前記第１撮影レンズを第１画角に設定した状態で、前記撮像素子からの撮像信号に基づくスルー画像を表示する表示部と、
前記レンズ装着部に非装着の第２撮影レンズに関する情報に基づいて、前記第２撮影レンズの焦点距離に応じた第２画角に関する情報を、前記表示部に前記第１画角で表示されている前記スルー画像上に重畳表示せしめる表示制御部と、
を備えることを特徴とする撮像装置。
【請求項２】
前記表示制御部は、互いに異なる複数の前記第２撮影レンズの焦点距離にそれぞれ応じた前記第２画角に関する情報を前記表示部に重畳表示する場合には、前記複数の第２撮影レンズのそれぞれを識別可能に、前記それぞれの第２画角に関する情報を前記表示部に重畳表示することを特徴とする請求項１記載の撮像装置。
【請求項３】
前記表示制御部は、前記第２撮影レンズの最も短い焦点距離に応じた前記第２画角である第２最大画角が、前記第１撮影レンズの最も短い焦点距離に応じた前記第１画角である第１最大画角より大きい場合には、前記表示部の表示画面を前記第２最大画角に設定し、前記第２最大画角に対する前記スルー画像を前記第１最大画角で前記表示部の中央部に縮小表示せしめることを特徴とする請求項１または請求項２記載の撮像装置。
【請求項４】
前記表示制御部は、前記表示部に縮小表示されている前記スルー画像が表示されていない前記表示部の周辺部に、前記表示部の表示画面が前記第２最大画角に設定されていることを示すメッセージを表示せしめることを特徴とする請求項３記載の撮像装置。
【請求項５】
前記表示制御部は、前記第２画角として設定できない範囲に関する情報を、前記表示部に表示されている前記スルー画像上に重畳表示せしめることを特徴とする請求項１〜請求項４の何れか一項に記載の撮像装置。
【請求項６】
前記表示制御部は、前記第２画角に関する情報として、前記第２撮影レンズの最も短い焦点距離に応じた前記第２画角である最大画角の前記スルー画像に対する画角枠、及び前記第２撮影レンズの最も長い焦点距離に応じた第２画角である最小画角の前記スルー画像に対する画角枠を、前記表示部に表示されている前記スルー画像上に重畳表示せしめることを特徴とする請求項１〜請求項５の何れか一項に記載の撮像装置。
【請求項７】
前記画角枠を選択可能な選択部を備え、
前記表示制御部は、前記選択部により選択された前記画角枠に対応する前記第２画角で前記スルー画像を前記表示部に拡大表示することを特徴とする請求項６記載の撮像装置。
【請求項８】
前記第２撮影レンズは、特定の機能を有しており、
前記表示制御部は、前記第２撮影レンズに関する情報に含まれる前記特定の機能に関する情報を、前記第２画角に関する情報と共に前記表示部に表示されている前記スルー画像上に重畳表示することを特徴とする請求項１〜請求項７の何れか一項に記載の撮像装置。
【請求項９】
前記特定の機能は、魚眼レンズによる機能またはアオリ機能であることを特徴とする請求項８記載の撮像装置。
【請求項１０】
前記表示制御部は、前記第２撮影レンズに関する情報に含まれる前記第２撮影レンズの開放Ｆ値に基づく前記第２撮影レンズの明るさに関する情報を、前記第２画角に関する情報と共に前記表示部に表示されている前記スルー画像上に重畳表示することを特徴とする請求項１〜請求項９の何れか一項に記載の撮像装置。
【請求項１１】
前記第２撮影レンズに関する情報を入力する入力部、前記第２撮影レンズに関する情報を受信する受信部、及び前記レンズ装着部に装着された撮影レンズに関する情報を前記第２撮影レンズに関する情報として取得する取得部の少なくとも一つを備えることを特徴とする請求項１〜請求項１０の何れか一項に記載の撮像装置。
【発明の詳細な説明】
【技術分野】
【０００１】
本発明は、撮影レンズを交換可能な撮像装置に関するものである。
【背景技術】
【０００２】
画角選択モードにおいて、ズームレンズをＷＩＤＥ端まで移動させ、ＷＩＤＥ端画角で  撮影用プレビュー画像に複数の選択可能な画角枠を表示し、画角枠を選択する選択手段を備え、選択された画角枠までレンズ焦点距離を移動させることができる撮影装置が提案されている（例えば、特許文献１参照）。
【先行技術文献】
【特許文献】
【０００３】
【特許文献１】特開２００６−１７４０２３号公報
【発明の概要】
【発明が解決しようとする課題】
【０００４】
従来のレンズ交換式のカメラでは、ユーザーにとってカメラのレンズ装着部に非装着の交換レンズの画角を直感的及び視覚的に把握することは難しく、撮影範囲や構図を決定するためには実際に交換レンズをカメラに装着し、背面パネルやファインダーで画角を確認する必要があった。上述の特許文献１記載の撮影装置においては、撮影用プレビュー画像に複数の画角枠を表示することができ、画角枠を参照することにより様々な画角を確認することができるが、撮影装置のレンズ装着部に非装着のレンズの焦点距離に応じた画角に対応する画角枠を表示することはできなかった。
【０００５】
本発明の目的は、レンズ装着部に非装着の撮影レンズの焦点距離に応じた画角を容易に把握することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、撮影レンズを着脱可能なレンズ装着部を有する撮像装置（２）であって、前記レンズ装着部に装着されている第１撮影レンズ（２８）を介した被写体からの光を撮像する撮像素子（８）と、前記第１撮影レンズ（２８）を第１画角に設定した状態で、前記撮像素子（８）からの撮像信号に基づくスルー画像を表示する表示部（１４）と、前記レンズ装着部に非装着の第２撮影レンズに関する情報に基づいて、前記第２撮影レンズの焦点距離に応じた第２画角に関する情報を、前記表示部（１４）に前記第１画角で表示されている前記スルー画像上に重畳表示せしめる表示制御部（６）とを備えることを特徴とする。
【発明の効果】
【０００８】
本発明の撮像装置によれば、レンズ装着部に非装着の撮影レンズの焦点距離に応じた画角を容易に把握することができる。
【図面の簡単な説明】
【０００９】
【図１】第１の実施の形態に係る電子カメラのシステム構成を示すブロック図である。
【図２】レンズ情報登録部に登録されている内容を説明するための図である。
【図３】第１の実施の形態に係る表示部の表示例を示す図である。
【図４】第１の実施の形態に係る表示部の表示例を示す図である。
【図５】第１の実施の形態に係る表示部の表示例を示す図である。
【図６】第１の実施の形態に係る表示部の表示例を示す図である。
【図７】第１の実施の形態に係る表示部の表示例を示す図である。
【図８】第１の実施の形態に係る表示部の表示例を示す図である。
【発明を実施するための形態】
【００１０】
以下、図面を参照して、本発明の第１の実施の形態に係る撮像装置としての電子カメラについて説明する。図１は、第１の実施の形態に係る電子カメラ２及び電子カメラ２に装着されているレンズユニット４のシステム構成を示すブロック図である。図１に示すように、電子カメラ２は、マイクロプロセッサ等により構成され、電子カメラ２の各部を統括的に制御する制御部６を備えている。制御部６には、撮像素子８、画像処理部１０、記録媒体１２、表示部１４、操作部１６、レンズ情報登録部１８、及び通信部２０が接続されている。
【００１１】
撮像素子８は、ＣＣＤまたはＣＭＯＳ等により構成され、レンズユニット４内の撮影レンズ２８（後述する）を介した被写体からの光を撮像する。画像処理部１０は、撮像素子８からの撮像信号に対して各種の画像処理が施された画像データを生成する。記録媒体１２は、電子カメラ２に設けられたカードスロット（図示せず）に着脱可能に装着される可搬性を有する記録媒体であり、例えば、ＣＦカード、ＳＤカード、スマートメディア等が用いられる。記録媒体１２には、画像処理部１０により生成された画像データや撮影に関する情報等が記録される。表示部１４は、ＬＣＤ等により形成されるモニタにより構成され、撮像素子８からの撮像信号に基づくスルー画像、記録媒体１２に記録されている画像データに基づく静止画像や動画像、各種設定を行う際のメニュー画面、及び撮影に関する情報等を表示する。操作部１６は、電子カメラ２の電源をオン／オフする電源スイッチ（図示せず）、撮影を指示するためのシャッタボタン（図示せず）、メニュー項目等の選択や様々な設定時に操作される十字キー（図示せず）、メニュー項目等の選択や様々な設定に対する確定操作を行うためのＯＫボタン（図示せず）等を含んで構成されている。
【００１２】
レンズ情報登録部１８には、電子カメラ２のレンズ装着部（図示せず）に装着されているレンズユニット４（撮影レンズ２８）に関する情報、及びレンズ装着部に非装着のレンズユニット（図示せず）、例えばユーザーが所有するレンズユニット４以外のレンズユニットやユーザーが購入を検討しているレンズユニットに関する情報等が登録され、記憶されている。具体的には、レンズユニット４内の撮影レンズ２８の焦点距離に応じた画角に関する情報、電子カメラ２のレンズ装着部に非装着のレンズユニット内の撮影レンズの焦点距離に応じた画角に関する情報等が登録され、記憶されている。例えば、図２に示すように、様々な撮影レンズの登録番号（設定Ｎｏ．）、ＷＩＤＥ側の焦点距離（焦点距離ＷＩＤＥ）、ＴＥＬＥ側の焦点距離（焦点距離ＴＥＬＥ）、及び表示色等がテーブル化され、記憶されている。この実施の形態では、撮影レンズ２８は、設定番号が１、単焦点レンズのため、ＷＩＤＥ側の焦点距離が３０ｍｍ、ＴＥＬＥ側の焦点距離はなし、表示色が黄で登録され、記憶されている。また、この実施の形態では、図２に示すように、５つの撮影レンズ（設定番号１〜５）に関する情報を登録可能に構成されており、撮影レンズ２８以外の３つの撮影レンズに関する情報が登録され、記憶されているものとする。これら撮影レンズに関する情報、及びこれら情報を登録する動作については後述する。通信部２０は、制御部６からの指示に従い、レンズユニット４に対して制御信号等を送信し、また、レンズユニット４の後述する通信部２６から送信される各種データ等を受信し、受信した各種データ等を制御部６に対して出力する。
【００１３】
電子カメラ２は、レンズユニットを着脱可能なレンズ装着部（図示せず）を有し、レンズユニット４は、電子カメラ２のレンズ装着部に装着されている。レンズユニット４は、マイクロプロセッサ等により構成され、レンズユニット４の各部を統括的に制御する制御部２２を備えており、制御部２２には、レンズ駆動部２４及び通信部２６が接続されている。レンズ駆動部２４は、制御部２０からの制御に従い、例えばフォーカス位置を調整する際等、撮影レンズ２８を光軸方向に駆動させる。通信部２８は、制御部２２からの指示に従い、電子カメラ２に対して各種データ等を送信し、また、電子カメラ２の通信部２０から送信される制御信号等を受信し、受信した制御信号等を制御部２２に対して出力する。
【００１４】
次に、撮影レンズに関する情報を登録する動作について説明する。ユーザーによりレンズ情報登録メニューの表示指示（例えば、図示しないメニューボタンの押下）がなされると、制御部６は、表示部１４にレンズ情報登録メニュー画面を表示する。レンズ情報登録メニュー画面には、ユーザーが十字キーやＯＫボタンを操作することにより、登録する撮影レンズに関する情報として、撮影レンズの設定番号、最もＷＩＤＥ（広角）側の焦点距離、最もＴＥＬＥ（望遠）側の焦点距離、及び表示色を入力するための入力画面が表示される。設定番号は、登録される複数の撮影レンズに関する情報を区別するための識別番号であり、表示色は、表示部１４に、登録されている撮影レンズの焦点距離に応じた画角の画角枠を、スルー画像に重畳させて表示する際の画角枠の色である。ユーザーにより、レンズ情報登録メニュー画面において、撮影レンズの設定番号、最もＷＩＤＥ（広角）側の焦点距離、最もＴＥＬＥ（望遠）側の焦点距離、及び表示色が入力されると、制御部６は、入力結果に基づいて、レンズ情報登録部１８に撮影レンズに関する情報を登録し、記憶させる。
【００１５】
なお、上述したように、撮影レンズに関する情報を手動で入力する構成に加えて、または代わりに、所定のレンズユニットを電子カメラ２に装着したとき、所定のレンズユニットが備える通信部が所定のレンズユニットが備える撮影レンズに関する情報（焦点距離情報等）を電子カメラ２に対して自動で送信する構成にすることもできる。この場合には、電子カメラ２の通信部２０がレンズ装着に装着されているレンズユニットが備える撮影レンズに関する情報を受信し、制御部６に対して受信した情報を出力する。制御部６は、通信部２０から取得した情報に基づいて、レンズ情報登録部１８に撮影レンズに関する情報を登録し、記憶させる。このとき、何れの撮影レンズに関する情報も登録されていない設定番号（例えば図２では設定番号１）及び表示色を自動で設定してもよく、ユーザーに設定番号及び表示色を選択させてもよい。また、撮影レンズが単焦点レンズの場合には、図２に示すように、撮影レンズの焦点距離を、ＷＩＤＥ側の焦点距離に登録する。
【００１６】
この実施の形態では、電子カメラ２に装着されている撮影レンズ２８を所定の画角（以下、第１画角という。）に設定した状態で、レンズ情報登録部１８に登録されている撮影レンズ（撮影レンズ２８以外の撮影レンズであって、電子カメラ２のレンズ装着部に非装着の撮影レンズ）の焦点距離に応じた画角（以下、第２画角という。）に関する情報として第２画角の画角枠を、表示部１４に第１画角で表示されているスルー画像上に重畳表示せしめることができる。以下、第２画角に関する情報を表示する処理について説明する。
【００１７】
まず、制御部６は、撮影レンズ２８をその焦点距離（３０ｍｍ）に応じた第１画角に設定した状態で、撮像素子８からの撮像信号に基づくスルー画像を、表示部１４に表示する。なお、撮影レンズ２８は単焦点レンズであるため、３０ｍｍの焦点距離に応じた第１画角に自動的に設定されるが、電子カメラ２のレンズ装着部に装着されているレンズユニット内の撮影レンズがズームレンズ等である場合には、制御部６は、その撮影レンズを最もＷＩＤＥ側の焦点距離に応じた第１画角（第１最大画角）に設定する。また、制御部６が設定した第１最大画角を、ユーザー操作により最もＷＩＤＥ側の焦点距離でない焦点距離に応じた第１画角に変更可能な構成にすることもできる。
【００１８】
次に、制御部６は、ユーザーにより画角枠表示設定メニューの表示指示（例えば、図示しないメニューボタンの押下）がなされると、表示部１４に、図４に示すような画角枠表示設定メニュー画面３２を表示する。画角枠表示設定メニュー画面３２には、レンズ情報登録部１８に登録されている撮影レンズ（登録レンズ）の一覧が表示され、ユーザーは、操作部１６を介して、電子カメラ２のレンズ装着部に非装着の登録レンズ（設定番号２，３，４）のうち、第２画角に関する情報（第２画角枠）を表示させる登録レンズを選択する。即ち、画角枠表示設定メニュー画面３２上において、第２画角に関する情報（第２画角枠）を表示させる登録レンズにチェックマークを入れる（図４では、設定番号３と４の登録レンズ）。そして、ユーザーにより第２画角に関する情報（第２画角枠）の表示指示（例えば、図示しないＯＫボタンの押下）がなされると、制御部６は、図５に示すように、選択された登録レンズの第２画角に関する情報、即ち第２画角枠３６ａ，３６ｂ，３８ａ，３８ｂを、表示部１４に表示されるスルー画像３４上に重畳させて表示する。このように、登録されているすべての登録レンズの画角に関する情報でなく、選択された登録レンズの第２画角に関する情報のみ（すべての登録レンズを選択可能であるが）を表示することができるため、例えば持参している登録レンズのみを選択する等、所望の登録レンズの第２画角に関する情報のみを表示させることができる。
【００１９】
なお、第１画角の第１画角枠４０に対する第２画角の第２画角枠３６ａ，３６ｂ，３８ａ，３８ｂの大きさは、制御部６による演算により算出される。即ち、撮影レンズ２８（電子カメラ２に装着されている撮影レンズ）の焦点距離をＳ１（ｍｍ）、選択されている登録レンズ（電子カメラ２に非装着の撮影レンズ）の焦点距離をＳ２（ｍｍ）、電子カメラ２から被写体までの距離をＬ（ｍｍ）、第１画角枠に対する第２画角枠の拡大率をＸとしたとき、Ｘ＝{（Ｌ−Ｓ２）／（Ｌ−Ｓ１）}×（Ｓ２／Ｓ１）となる。例えば、Ｓ１＝３０ｍｍ、Ｓ２＝６０ｍｍ、Ｌ＝１００００ｍｍとしたとき、Ｘ＝１．９９３９８１９…となる。よって、第２画角枠は、第１画角枠の縦及び横の長さを１．９９４倍拡大した大きさとなる。
【００２０】
上述したように、第２画角枠の大きさを算出するためには、電子カメラ２から被写体までの距離を取得する必要がある。したがって、被写体までの距離を取得可能な電子カメラにおいては、上述したように、第２画角枠の大きさを算出するが、被写体までの距離を取得することができない電子カメラにおいては、Ｘ＝Ｓ２／Ｓ１として第２画角枠の大きさを算出する。但しこの場合には、被写体までの距離が近いほど、算出された第２画角枠の大きさと、登録レンズを実際装着したときの焦点距離に応じた撮影範囲とが異なる場合がある。被写体までの距離を取得可能な電子カメラにおいても、被写体までの距離が十分に大きい場合には{（Ｌ−Ｓ２）／（Ｌ−Ｓ１）}＝１となり、Ｘ＝Ｓ２／Ｓ１となる。また、被写体までの距離が焦点距離と略同一（Ｌ≒Ｓ２）の場合にはＸ＝０、被写体までの距離が焦点距離より短い（Ｌ＜Ｓ２）の場合にはＸがマイナスとなり、第２画角枠の大きさを算出することができない。よって、{（Ｌ−Ｓ２）／（Ｌ−Ｓ１）}＜０．９の場合には、Ｘ＝Ｓ２／Ｓ１として第２画角枠の大きさを算出し、「被写体までの距離が近すぎます」等の警告メッセージを表示部１４に表示する。
【００２１】
制御部６は、上述の算出結果に基づいて、選択された登録レンズの第２画角に関する情報、即ち第２画角枠３６ａ，３６ｂ，３８ａ，３８ｂを、表示部１４に表示されるスルー画像３４上に重畳させて表示する。具体的には、図５に示すように、設定番号３の登録レンズの第２画角に関する情報として、設定番号３の登録レンズの最も短い焦点距離（１８ｍｍ）に応じた第２画角である最大画角のスルー画像３４に対する第２画角枠３６ａ（一点鎖線で示す）と、設定番号３の登録レンズの最も長い焦点距離（５５ｍｍ）に応じた第２画角である最小画角のスルー画像３４に対する第２画角枠３６ｂ（一点鎖線で示す）を、設定番号３の登録レンズの表示色である赤色で、スルー画像３４上に重畳表示せしめる。同様に、設定番号４の登録レンズの第２画角に関する情報として、設定番号４の登録レンズの最も短い焦点距離（７０ｍｍ）に応じた第２画角である最大画角のスルー画像３４に対する第２画角枠３８ａ（破線で示す）と、設定番号４の登録レンズの最も長い焦点距離（３００ｍｍ）に応じた第２画角である最小画角のスルー画像３４に対する第２画角枠３８ｂ（一点鎖線で示す）を、設定番号４の登録レンズの表示色である緑色で、スルー画像３４上に重畳表示せしめる。
【００２２】
即ち、異なる複数の登録レンズ（図５では、設定番号３及び４の登録レンズ、並びに撮影レンズ２８）の焦点距離に応じた第１画角及び第２画角に関する情報を表示部１４に重畳表示する場合には、各登録レンズの第２画角枠の表示色や線種を異ならせる等、各登録レンズを識別可能に、各登録レンズの第２画角に関する情報を表示部１４に重畳表示する。また、図５に示すように、各登録レンズを識別するために、各第２画角枠３６ａ，３６ｂ，３８ａ，３８ｂ、及び第１画角枠４０の左上部に、各第２画角枠３６ａ，３６ｂ，３８ａ，３８ｂ、及び第１画角枠４０に相当する焦点距離を表示することもできる。
【００２３】
また、設定番号３の登録レンズの最も短い焦点距離（１８ｍｍ）に応じた最大画角（第２最大画角という）が、撮影レンズ２８の焦点距離（３０ｍｍ）に応じた最大画角（第１最大画角という）より大きいため、図５に示すように、表示部１４の表示画面は第２最大画角（第２画角枠３６ａ）に設定され、第２最大画角に対するスルー画像３４は、第１最大画角（実線で示す第１画角枠４０）で表示部１４の中央部に周知の電子ズーム機能を用いて縮小表示される。なお、焦点距離１８ｍｍから３０ｍｍまでの間の被写体については、撮影レンズ２８において捉えることができないため、表示部１４上においては表示されない。したがって、例えば図６に示すように、表示部１４の画像が表示されない周辺部エリア４２に、「登録レンズ３を装着したときの焦点距離１８〜３０ｍｍの画角エリアです」等の表示部１４の表示画面が第２最大画角（第２画角枠３６ａ）に設定されていることを示すメッセージを表示せしめる。
【００２４】
また、図５に示すように、装着されている撮影レンズ２８の第１画角、及び選択されている設定番号３及び４の登録レンズの第２画角として設定できない範囲（焦点距離５５ｍｍ〜７０ｍｍ）４４を、スルー画像３４上にグレー等で重畳表示する。また、図５に示すように、表示部１４に重畳表示されている複数の第２画角枠３６ａ，３６ｂ，３８ａ，３８ｂ、及び第１画角枠４０についてユーザーの理解を容易にするために、例えば表示部１４の表示画面右上部等に、選択されている設定番号３及び４の登録レンズの焦点距離情報等の情報を表示するエリア４６を設けることもできる。
【００２５】
更に、ユーザー操作により、エリア４６内において設定番号３の登録レンズ（１８−５５）か設定番号４の登録レンズ（７０−３００）かを選択することができ、設定番号３の登録レンズ、即ち撮影レンズ２８の第１画角より大きい最大画角（第２画角）を有する登録レンズが選択されると、例えば図７に示すように、設定番号３の登録レンズの第２画角として設定できない範囲（焦点距離７０ｍｍ〜）４８を、スルー画像３４上にグレー等で重畳表示し、エリア４６内において設定番号３の登録レンズが選択されていることを示す記号５０等を表示する。このとき、図７では、選択されていない設定番号４の登録レンズの第２画角に関する情報（第２画角枠３８ａ，３８ｂ）が表示されているが、設定番号３の登録レンズの第２画角に関する情報（第２画角枠３６ａ，３６ｂ）を強調したい場合等、これら第２画角枠３８ａ，３８ｂを表示させない構成にすることもできる。
【００２６】
一方、設定番号４の登録レンズ、即ち撮影レンズ２８の第１画角より小さい最大画角（第２画角）を有する登録レンズが選択されると、例えば図８に示すように、表示部１４の表示画面を設定番号４の登録レンズの最大画角（第２画角枠５２ａ）に設定し、スルー画像５４を、設定番号４の登録レンズの最大画角で表示部１４に周知の電子ズーム機能を用いて拡大表示する。なお、第２画角枠５２ｂは、設定番号４の登録レンズの最小画角を示している。
【００２７】
また、図５に示すように、スルー画像３４上に複数の第２画角枠３６ａ，３６ｂ，３８ａ，３８ｂが重畳表示されている状態で、ユーザー操作により、複数の第２画角枠３６ａ，３６ｂ，３８ａ，３８ｂのうちの何れか一つを選択可能な構成にすることもできる。この場合には、表示部１４の表示画面を、選択された第２画角枠に対応する第２画角に設定し、スルー画像を、設定された第２画角で表示部１４に周知の電子ズーム機能を用いて拡大表示する。
【００２８】
第１の実施の形態に係る電子カメラ２によれば、レンズ装着部に非装着の登録レンズの焦点距離に応じた第２画角の第２画角枠をスルー画像上に重畳表示させることができるため、登録レンズをレンズ装着部に装着させなくとも登録レンズの焦点距離に応じた第２画角を容易に把握することができる。例えば、レンズ装着部に装着されている撮影レンズ以外の、ユーザーが所有している撮影レンズや、購入を検討している撮影レンズに関する情報を予め登録することにより、これら撮影レンズを実際にレンズ装着部に装着しなくとも、これら撮影レンズの焦点距離に応じた第２画角を直感的かつ視覚的に把握することができ、レンズ装着部に非装着の撮影レンズの撮影範囲や構図を容易に実感することができる。
【００２９】
次に、図面を参照して、本発明の第２の実施の形態に係る撮像装置としての電子カメラについて説明する。第２の実施の形態に係る電子カメラにおいては、第１の実施の形態に係る電子カメラ２の構成と同一の構成を有しているため、その説明を省略し、同一の構成には同一の符号を用いて説明を行う。
【００３０】
また、第２の実施の形態に係る電子カメラ２は、インターネット等のネットワークに接続可能、かつ電子カメラ２に接続されたネットワーク上に存在するサーバから各種データを受信可能な構成を有している。したがって、サーバ内に格納されている様々な撮影レンズに関する情報を受信することができる。即ち、この第２の実施の形態に係る電子カメラ２においては、サーバ内に格納されている撮影レンズに関する情報を受信し、受信した撮影レンズに関する情報を登録することができる。
【００３１】
具体的には、ユーザーによりレンズ情報登録メニューの表示指示（例えば、図示しないメニューボタンの押下）がなされると、制御部６は、表示部１４に、レンズ情報登録メニュー画面を表示する。レンズ情報登録メニュー画面には、例えば、ユーザーにより手動で入力する手段、レンズ装着部に装着されている撮影レンズのレンズ情報を自動で取得する手段、ネットワーク上に存在するサーバから撮影レンズのレンズ情報を受信する手段等のうちの一つを選択するための選択画面が表示される。ユーザーにより、ネットワーク上に存在するサーバから撮影レンズのレンズ情報を受信する手段が選択されると、制御部６は、ネットワークに接続し、ネットワーク上に存在するサーバから、ユーザーが所望する撮影レンズに関する情報を受信し、受信した情報に基づいて、レンズ情報登録部１８に撮影レンズに関する情報を登録し、記憶させる。
【００３２】
なお、この実施の形態では、撮影レンズに関する情報として、撮影レンズの焦点距離情報に加えて、撮影レンズが有する特定の機能に関する情報、例えば、撮影レンズが魚眼レンズ機能を有していることや、アオリ機能を有していること等の情報を受信し、レンズ情報登録部１８に登録する。また、撮影レンズに関する情報として、撮影レンズの絞りに関する情報を受信し、レンズ情報登録部１８に登録する。なお、サーバから撮影レンズに関する情報を受信し、レンズ情報登録部１８に登録させる際、何れの撮影レンズに関する情報も登録されていない設定番号（例えば図２では設定番号１）及び表示色を自動で設定してもよく、ユーザーに設定番号及び表示色を選択させてもよい。
【００３３】
この第２の実施の形態においても、第１の実施の形態と同様に、撮影レンズ２８を第１画角に設定した状態で、撮影レンズ２８以外の撮影レンズであって、レンズ情報登録部１８に登録されている撮影レンズのうち、ユーザーにより選択された撮影レンズの焦点距離に応じた第２画角の画角枠を、表示部１４に第１画角で表示されているスルー画像上に重畳表示せしめることができる。
【００３４】
そして、ユーザー操作により、第２画角の第２画角枠とスルー画像とが重畳表示されている画面上において、選択されている撮影レンズのうちの一つを選択することができ、例えばユーザーにより選択された撮影レンズが魚眼レンズによる機能を有している場合には、制御部６は、第２画角枠と、魚眼レンズによる機能を加えたスルー画像とを重畳表示する。即ち、ユーザーにより選択された撮影レンズが電子カメラ２のレンズ装着部に装着された場合において、この撮影レンズが有する魚眼レンズ機能により、表示部１４に表示されるスルー画像は、特定のゆがみを有する。よって、制御部６は、現在装着されている撮影レンズ２８を介したスルー画像に対してこの特定のゆがみを与えるために、スルー画像に対して画像処理を施すための演算処理を実行し、演算結果に基づいてスルー画像に対して画像処理を施す。なお、この特定のゆがみを与えるための画像処理に関する演算情報は、魚眼レンズ機能を有する撮影レンズに関する情報に含まれており、この撮影レンズに関する情報を登録する際に、サーバから送信される。
【００３５】
同様に、ユーザーにより選択された撮影レンズがアオリ機能を有している場合には、制御部６は、第２画角枠と、アオリ機能を加えたスルー画像とを重畳表示する。即ち、ユーザーにより選択された撮影レンズが電子カメラ２のレンズ装着部に装着された場合において、この撮影レンズが有するアオリ機能により、表示部１４に表示されるスルー画像は、特定のゆがみを有する。よって、制御部６は、現在装着されている撮影レンズ２８を介したスルー画像に対してこの特定のゆがみを与えるために、スルー画像に対して画像処理を施すための演算処理を実行し、演算結果に基づいてスルー画像に対して画像処理を施す。なお、この特定のゆがみを与えるための画像処理に関する演算情報は、アオリ機能を有する撮影レンズに関する情報に含まれており、この撮影レンズに関する情報を登録する際に、サーバから送信される。また、スルー画像に特定のゆがみを与える画像処理としては、処理の容易さ等を考慮したとき、表示部１４へ画像表示するためのスルー画像に対して画像処理を施すのがよい。
【００３６】
また、制御部６は、ユーザーにより選択された撮影レンズの絞りに関する情報から、開放Ｆ値に基づく撮影レンズの明るさに関する情報を取得し、第２画角枠と、撮影レンズの明るさに関する情報に基づき明るさ調整されたスルー画像とを重畳表示する。即ち、ユーザーにより選択された撮影レンズが電子カメラ２のレンズ装着部に装着された場合において、表示部１４に表示されるスルー画像は、撮影レンズの開放Ｆ値に基づく明るさの影響を受ける。よって、制御部６は、現在装着されている撮影レンズ２８を介したスルー画像の明るさが、選択されている撮影レンズの開放Ｆ値に基づく明るさとなるように、スルー画像の輝度補正値を算出し、算出結果に基づいてスルー画像の輝度を補正する。なお、スルー画像の輝度を補正する処理としては、処理の容易さやノイズの影響等を考慮したとき、表示部１４へ画像表示するためのスルー画像に対して明るさ調整するのがよいが、撮像素子８の感度を調整してもよい。
【００３７】
第２の実施の形態に係る電子カメラ２によれば、レンズ装着部に非装着の登録レンズの焦点距離に応じた第２画角の第２画角枠をスルー画像上に重畳表示させることができるため、登録レンズをレンズ装着部に装着させなくとも登録レンズの焦点距離に応じた第２画角を容易に把握することができる。また、レンズ装着に非装着の登録レンズが魚眼レンズによる機能やアオリ機能等の特定の機能を有している場合には、その特定の機能に関する情報、即ち特定の機能を反映させたスルー画像を表示することができるため、登録レンズをレンズ装着に装着させなくとも登録レンズが有する特定の機能を反映させたスルー画像を容易に把握することができる。したがって、撮影レンズを実際にレンズ装着部に装着しなくとも、撮影レンズの第２画角や特定の機能を直感的かつ視覚的に把握することができ、レンズ装着部に非装着の撮影レンズの撮影範囲や構図を容易に実感することができる。
【符号の説明】
【００３８】
２…電子カメラ、４…レンズユニット、６…制御部、８…撮像素子、１０…画像処理部、１２…記録媒体、１４…表示部、１６…操作部、１８…レンズ情報登録部、２０…通信部、２８…撮影レンズ。
【図１】
2012168299.tif 000003
【図２】
2012168299.tif 000004
【図３】
2012168299.tif 000005
【図４】
2012168299.tif 000006
【図５】
2012168299.tif 000007
【図６】
2012168299.tif 000008
【図７】
2012168299.tif 000009
【図８】
2012168299.tif 000010